(57)【要約】【課題】  ディスプレイ用品において、運搬時、または、保管時の無駄なスペースをなくし、部品点数を少なくして、安価に製造できるものとする。また、ひとつのディスプレイ用品で、帽子のサイズや形、質感に対応できるようにする。【解決手段】  支持部を設けた基台と、支持部に取り付けるべく、帽子の形をくずさず保持する受部とからなることを特徴とする帽子用ディスプレイ。【選択図】      図４
2005066273.tif 000002
【特許請求の範囲】
【請求項１】
支持部を設けた基台と、支持部に取り付けるべく、帽子の形をくずさず保持する受部とからなることを特徴とする帽子用ディスプレイ。
【請求項２】
支持部を基台の上下に、少なくとも１箇所以上設けてなることを特徴とする請求項１記載の帽子用ディスプレイ。
【請求項３】
支持部が、少なくとも１以上のスリットで構成されていることを特徴とする請求項１又は２記載の帽子用ディスプレイ。
【請求項４】
基台が、筒形状であることを特徴とする請求項１、２又は３記載の帽子用ディスプレイ。
【請求項５】
基台が、円錐台形で、上下に２個組み合わせてなることを特徴とする請求項４記載の帽子用ディスプレイ。
【請求項６】
基台は、シート状であり、筒形状に組立てることを特徴とする請求項１、２、３、４又は５記載の帽子用ディスプレイ。
【請求項７】
受部が、シート状で、スリットに挿し込むべく、少なくとも２本のアームを設けてなることを特徴とする請求項１、２、３、４、５又は６記載の帽子用ディスプレイ。
【請求項８】
受部のアームを基台に設けてあるスリットの高さの違う個所に固定することで、受部の大きさを変更することができ、また、傾斜した形状となることを特徴とする請求項１、２、３、４、５、６又は７記載の帽子用ディスプレイ。
【請求項９】
基台には少なくとも１以上の取り付け部があり、壁等に着脱自在に保持できることを特徴とする請求項１、２、３、４、５、６、７又は８記載の帽子用ディスプレイ。
【発明の詳細な説明】
【技術分野】
【０００１】  本発明は、帽子、特にニットの帽子を展示するための帽子用ディスプレイに関するものである。
【背景技術】
【０００２】  従来の技術としては、細長い棒状の脚部の上端に商品を保持可能な形状を呈する商品の掛部を一体的に設けたことを特徴とする商品のディスプレイ用具がある。（例えば、特許文献１参照）【０００３】
【特許文献１】      登録実用新案第３０５４７３０号公報（請求項１、図１）
【発明の開示】
【発明が解決しようとする課題】
【０００４】  従来のディスプレイ用品の場合、脚部と商品を保持可能な形状を呈する商品の掛部が、一体的に設けられているので、運搬時、または、保管時に無駄なスペースが発生するとともに、運搬コストも高くなる。
また、商品の掛部は渦巻状に屈曲した形状となっているので、帽子を載せた時に、帽子の形状を変えてしまう可能性がある。また、子供用と大人用等の帽子のサイズが違う場合も、同じ大きさ、形状の掛部に載せて展示しているのが現状である。
また、複数本の脚部を挿入して、起立状態で支持可能な筒体を底板の上に立設して成る台が必要であるので、部品点数が多くなり、製造コストも高くなってしまう。
【課題を解決するための手段】
【０００５】  本発明の帽子用ディスプレイは、基台と受部とからなり、該基台の上下には、支持部が設けてあり、該支持部に、受部を挿し込むように構成されてぃるので、基台と受部が、容易に着脱できるようにする。【０００６】  上記基台には、少なくとも１箇所以上の支持部が設けてあり、該支持部は、１以上のスリットで構成されている。受部を挿し込む位置を変えることで、受部の外観形状を変化させることができ、また、大きさを自由に調整できるようにする。
また、受部を挿し込む位置の高さを不均一にすることで、受部を傾斜させて固定することもできるようにする。【０００７】  上記基台は、シート状のものを組立てて、筒形状を形成し、運搬、または、使用しない時は、展開して、シート状になるようにする。
また、円錐台形の場合、上下に２個組み合わせて使用できるようにする。【０００８】  上記受部は、シート状であり、基台に設けたスリットからなる支持部に挿し込むべく、少なくとも２本のアームを設けてなる。該アームを基台の支持部に挿し込むことで、弾力のあるアーチ形状を形成するようにする。【０００９】  基台には、少なくとも１以上の取り付け部があり、該取り付け部を利用し、壁等に着脱自在に保持できるようにする。
【発明の効果】
【００１０】  本発明の効果として、基台と受部というシンプルな構成でありながら、帽子の形状をくずさずに保持できるディスプレイであって、基台の上下に少なくとも１箇所以上設けてあるスリットからなる支持部に、受部のアームを挿し込むように取り付けるので、基台と受部を容易に着脱することができる。
また、挿し込みによる組立て式であるので、部品点数も少なくすることができる。【００１１】  基台は、シート状であり、挿し込みによる組立てで、筒形状を形成するので、従来の金属加工品、また、射出成形品のものよりも安く製造することができる。
また、使用しない時は、展開してシート状にできるので、無駄なスペースが無くなり、運搬コストを低くおさえることができるとともに、保管も少ないスペースでおこなえる。【００１２】  基台を円錐台形とすると、上下に２個組み合わせることができるので、基台が１個のものと、基台を２個組み合わせたものを並べて置いて使用した時、帽子どうしの干渉がなくなり、スペースを有効に利用することができる。【００１３】  受部は、シート状であるので、使用しない時は、無駄なスペースが無くなり、運搬コストを低くおさえることができるとともに、保管も少ないスペースでおこなえる。【００１４】  受部は、基台のスリットからなる支持部に、受部のアー厶を取り付けて、弾力のあるアーチ形状を形成するので、帽子の形をくずさずに、展示することができる。
また、受部のアームを取り付けるスリットの位置を変えることで、アーチの大きさを自由に変更することができ、例えば、４本のアームで形成される受部で、アームを取り付けるスリットの高さを不均一にすると、斜状のアームとなるので、帽子のサイズの違いや、形状に添うように展示することができる。【００１５】  基台に取り付け部を設けることで、展示台に置いて使用するだけでなく、壁等に保持することもできるので、幅広い展示形態をとることができる。
【発明を実施するための最良の形態】
【００１６】  基台１は、図１のような扇形、または、図２のような長方形のシート状であり、挿し込み部１Ｂを組立てることにより、筒形状、または、円錐台形を形成する。【００１７】  基台１には、後述する受部２を取り付けるべく、少なくとも１以上のスリットａ（この実施例の場合、３箇所である）からなる支持部１Ａが、該基台１の上下に形成してある。（この実施例の場合、支持部１Ａは、上下８箇所である。）【００１８】  受部２は、図３のように、シート状の部材であり、基台１の支持部１Ａに挿し込むべく、４本のアーム２Ａをもつ形とし、図４のように、アーム２Ａを支持部１Ａのいずれかのスリットａに挿し込むように、基台１に取り付けて、弾力のあるアーチ形状を形成する。【００１９】  基台１が、円錐台形の時は、図５のように、上下に２個組み合わせることができるので、基台１を１個使用した場合とでは、図６のように、展示される帽子Ｂの位置の高さ方向に高低差が発生し、基台１を並べて置いたときに、帽子Ｂどうしの干渉がなくなり、スペースを有効に利用することができる。【００２０】  基台１の支持部１Ａは、複数（この実施例の場合は、８箇所）設けてあり、該支持部１Ａは、複数（この実施例の場合は、３箇所）のスリットａで形成されている。受部２のアーム２Ａを取り付けるスリットａの位置を変えることで、図７のように、大きさの違うアーチを容易に形成することができる。
また、図８のように、高さの違うスリットａを利用すると、傾斜したアーチを形成することもできる。【００２１】  基台１には、穴による取り付け部１Ｃが設けてあり、図９のように、壁等に設けたフックＦに引掛けて保持できるようになっている。
【産業上の利用可能性】
【００２２】  本発明の帽子用ディスプレイは、受部と基台というシンプルな構成であり、シート状の部材を挿し込み式で組立てるので、部品点数も少なく、また、運搬、保管が少ないスペースでおこなえるというメリットがある。
また、基台に設けられた支持部に、受部を取り付ける時、位置を変更することで、受部の大きさや形状を容易に変えることができるので、ひとつのディスプレイ品で、あらゆる帽子の形状や材質にあった展示形態をおこなえるという点でも、産業上の利用可能性は大である。
【図面の簡単な説明】
【００２３】
【図１】    本発明の帽子用ディスプレイの扇形をなす基台の展開図である。
【図２】    本発明の帽子用ディスプレイの長方形をなす基台の展開図である。
【図３】    本発明の帽子用ディスプレイの受部の展開図である。
【図４】    本発明の帽子用ディスプレイの外観図である。
【図５】    本発明の帽子用ディスプレイの使用例をあらわす外観図である。
【図６】    本発明の帽子用ディスプレイの使用例をあらわす外観図である。
【図７】    本発明の帽子用ディスプレイの使用例をあらわす側面図である。
【図８】    本発明の帽子用ディスプレイの使用例をあらわす側面図である。
【図９】    本発明の帽子用ディスプレイの使用例をあらわす外観図である。
【符号の説明】
【００２４】１    基台
２    受部
１Ａ  支持部
【図１】
2005066273.tif 000003
【図２】
2005066273.tif 000004
【図３】
2005066273.tif 000005
【図４】
2005066273.tif 000006
【図５】
2005066273.tif 000007
【図６】
2005066273.tif 000008
【図７】
2005066273.tif 000009
【図８】
2005066273.tif 000010
【図９】
2005066273.tif 000011